(57)【要約】【課題】種まきや育苗のためのポットを出荷する際、ポット内の品種や育て方を記載したタグをポット内に差し込むか、ホチキスで留めている。このタグ取付作業は時間を要し、生産者の作業効率を低下させている。【解決手段】八角形の底部（２）の辺（３）より平坦な略方形の片（４）を延在させ、１つおきに片（４）を起立させ、次いで残りの１つおきの片を起立させ、隣り合う片（４）に接着する。片（４）の平坦な外表面にはポット（１）内の植物のための情報が印刷される。片（４）の少なくとも１つをタグ状の背高のものとし、品種名をここに記入可能とさせる。【選択図】          図３
2005013009.tif 000002
【特許請求の範囲】
【請求項１】
多角形の底部、底部の辺から延在しかつその外表面に情報印刷可能な片を有し、片を起立させ隣り合う片を接着してなる紙製ポット。
【請求項２】
片の少なくとも１つが他の片より背が高い請求項１記載の紙製ポット。
【請求項３】
片が平坦な外表面を有し、斜め上方に延在する請求項１記載の紙製ポット。
【請求項４】
片が底部の辺から１つおきに延在する請求項１記載の紙製ポット。
【請求項５】
底部が八角形である請求項１乃至４の何れかに記載の紙製ポット。
【請求項６】
多角形の底なし底部を作るよう谷折れ線を入れたベース板の両端を接着し、多角形の筒部とした紙製ポット。
【請求項７】
谷折れ線間が平坦面であり、かつ少なくとも１つが背高であり、植物に関する情報が平坦面に印刷されている請求項６記載の紙製ポット。
【発明の詳細な説明】
【０００１】
【発明の属する技術分野】
本発明はタグ部を有する園芸用ポット、特に詳述すれば、紙製にして環境に優しくかつその外表面に植物に対する情報を表示可能な紙製ポットに関する。
【０００２】
【従来の技術】
種まきや育苗を目的としたポットが提供されているが、このポットは一般には黒色の合成樹脂製の薄肉のもので、トレイの内に多数整列され、発芽を待って出荷されている。
出荷の際、品種、育て方（水やり、施肥、病害虫等の注意を含む）、開花シーズン、用途等を印刷したクラフト紙やポリプロピレンシートからなるタグをポットに差し込むかホチキスでポットに留めている。
【０００３】
ホームセンターや小売店では、お客様の方にタグが向くようポット或いはトレイの向きに注意しながらポットを店に並べている。
【０００４】
【発明が解決しようとする課題】
タグをポットに差し込んだり、ホチキスを用いてタグをポットに留めたりする作業は、出荷シーズンともなると、何十万回以上ともなり、生産者の負担を大なるものとしている。
これとは別に、合成樹脂製のポットは、地植えできないこと、廃棄による環境への悪影響などから、生分解可能な材料への変換が期待されている。
【０００５】
この期待に沿うものとして、紙コップタイプのポットが注目されている。紙製ポットの一例として、トイレットペーパーの紙芯を用いたもの、天然パルプ材や古紙を円錐状に巻き下部をカットしたもの、或いは水抜き孔付きコップ状の紙ポットに紙製の水切り袋を組み合わせたもの等が提案されている。
【０００６】
この種の紙ポットに必要情報等を印刷しておくことで、生産者の負担となっているタグを不要とすることが考えられる。
しかし、紙芯や古紙への印刷は難しく、又、コップ状紙ポットは、曲面への印字を消費者が読むことになり、情報の伝達が正確でないと言う不具合が生じる。
【０００７】
それ故に、本発明は、前述した不具合を解消させることを解決すべき課題とする。
【０００８】
【課題を解決するための手段】
本発明は、前述した課題を解決するために、基本的には、多角形の底部の任意の辺より延在する平らな片を起立させ、隣接する片を接着する技術的手段を提供する。
平らな片へ印刷した情報は、ポットとしたとき平らな面からの情報として認識できる利点となる。平らな片の起立と接着は底部を木型で押し、トンネル内を通すことで容易に行うことができるので製作は容易である。
【０００９】
これとは別に底無しポットは、一枚シートに谷折れ線を間隔をおいて入れ、この線に沿って折ながら両端を接着させることで、平らな面を連続して有するポットが形成される。
この場合においても、底付きのポットと同効果を得ることができる。
【００１０】
本発明によれば、多角形の底部、底部の辺から延在しかつその外表面に情報印刷可能な片を有し、片を起立させ隣り合う片を接着してなる紙製ポットが提供される。
【００１１】
さらに、本発明によれば、多角形の底なし底部を作るよう谷折れ線を入れたベース板の両端を接着し、多角形の筒部とした紙製ポットが提供される。
【００１２】
【発明の実施の形態】
本発明の好ましい一例の紙製ポット１は、好ましくは、八角形の底部２と底部２の各辺３より延在する８個の平坦な片４よりなり、各片４は隣り合う片４と接着させられる。
図１と図２に示す紙製ポット１の展開図を図３に示す。孔１５付きの八角形の底部２の各辺３よりポット１の周壁を作る平坦な片４−１、４−２、４−３が延在する。片４−１は、細長い方形のもので、辺３の幅と略同幅を有し、１個置きに配される。
【００１３】
片４−２は、片４−１と同形の本体と該本体の両側に設けた接着代５を有す。片４−２は片４−１に隣接する。１つの片４−３は、タグの如き形状をなし、他の片４−１、４−２より背の高いものとなっており、図１に示す如く、背高の山形頂部を有す。
この山形頂部の外表面には、好ましくは、ポット１内の植物の品種名が印刷され、その下部にはその品種の説明が印刷される。
片４−３の外表面には、たとえば、育て方などが印刷される。
【００１４】
紙としては、ボール紙や耐水加工したラミネート紙等が用いられるが、生分解特性を有する紙も使用できる。
図３に示すように切断し、谷折れ線（細い実線で示す）とスジ押し線６とを片４−１の中央上部に入れた後、底部２に木型をあてトンネル内に通す。先ず、片４−１が起立され、次いで、片４−２、４−３が起立し、その接着代５が片４−１の外表面に重なって接着され、八角形の外壁部を有するポット１が完成する。完成したポット１がトンネル内に次々と積層される。
【００１５】
片４−１は、片４−２、４−３に重なるため、その外表面は白紙のままで良いが、他の片４−２、４−３の外表面には必要な情報、写真、メモ欄を予め印刷しておく。これにより、購入者はポット１内の植物に欠かせない知識を身につけることができる。
片４−３の山形の頂部は他の片４−１、４−２より背が高く、たとえば、この部分にベコニア、ペチュニア、ピクシー、アスター、プリエッターといった品種名をカラフルに印刷することで、購入者の目にとまりやすいようにする。
【００１６】
図４に示す例は図３に示す変形例である。図４に示す例は、八角形の底部２の辺３の内の４つの辺３より平らな片７−１、７−２を延在させ、片７−１の両側に重ね側片８を設け、片７−２の一方の側部に重ね側片８を他方の側部に山形の頂部を有する重ね背高片９を形成したものである。
重ね側片８と重ね背高片９下部にはカット部１６が形成される。
【００１７】
図４に示す例の組立に際しては、木型を底部２に押しあて、トンネル内にこれを通しながら、先ずは、向かい合う片７−１と７−２を起立させる。次いで、残りの片７−１と７−２をトンネル内に押し進めこれを起立させ重ね側片８を重ねながら接着し、かつ重ね背高片９を重ねて接着する。重ね部は、片７−１、７−２を有しない底部２の辺の上方に隙間を残して位置することになり、八角形のポット１が得られる。
この場合にもポット１の外表面を構成する部分に予め必要な情報を印刷しておく。
【００１８】
図５に示す例は、底部のないポット１０を作るための展開図である。ベース板の中央に背高の部分１１を作り、この部分１１の両側に等間隔をとって各４本の谷折れ線１２を入れる。一方の端に糊代即ち接着代１３を設ける。６はスジ押しを示す。
この例は端片１４を接着代１３に重ねて接着することで、底無しポット１０が形成できる。
【００１９】
谷折れ線１２によって確定される平坦な各片の外表面に必要な情報を印刷し、背高の部分１１には、好ましくは品種名を印刷する。
このポット１０は、たとえば、既存の市販ポットのカバーとして用い、必要な情報を購入者に知らせるのに有益である。
ポット１０は予めトレイ内に納め、このポット１０を有するトレイに通常のポットを入れていけばよく、自動化が可能であり、ホチキスによりタグをポットに留める作業に比し、極めて簡便である。
【００２０】
図示例は、好ましい例として、八角形のポットを説明したが、４角、１２角、１６角であっても同じ効果が得られる。
いずれの場合であっても、ポットの外表面のデザインの自由度が高く、しかも平坦な面に購入者への情報を多く記入できる。多角形のポットはポットの積層を容易にし、積層ポット間の相対的動きが少ない。
【図面の簡単な説明】
【図１】本発明の一例のポットの斜視図である。
【図２】図１のポットを底部方向から見た底面図である。
【図３】図１に示すポットの展開図である。
【図４】図３に示す例の変形例の展開図である。
【図５】底無しポットの展開図である。
【符号の説明】
１，１０    ポット
２    底部
３    辺
４，７    片
６    レーザー測定器
５，１３    接着代
【図１】
2005013009.tif 000003
【図２】
2005013009.tif 000004
【図３】
2005013009.tif 000005
【図４】
2005013009.tif 000006
【図５】
2005013009.tif 000007